【事件の表示】
　平成１０年特許願第３０７１０７号「データ生成装置及びデータ生成方法、データ受信装置及びデータ受信方法、並びにデータ通信システム及びデータ通信方法」拒絶査定不服審判事件〔平成１２年　５月１２日出願公開、特開２０００−１３４５９１〕について、次のとおり審決する。
【結　論】
　本件審判の請求は、成り立たない。
【理　由】
第１　手続の経緯 
　本願は、平成１０年１０月２８日の出願であって、平成１８年３月１０日付けで拒絶査定がなされ、これに対し、同年４月１３日に拒絶査定に対する審判請求がなされるとともに、同年５月１日付けで手続補正がなされたものである。 
 　 
第２　平成１８年５月１日付けの手続補正（以下「本件補正」という。）についての補正却下の決定 
［補正却下の決定の結論］ 
　平成１８年５月１日付けの手続補正を却下する。 
［理由］ 
［１］補正の内容
　本件補正は、少なくとも、下記の補正事項を含むものである。
　　　　　　　　　　　　記（補正事項）
（ａ）請求項３において、「前記データ送信装置により、送信すべきデジタルデータに応じて一部領域の色を単位時間毎に変化させられた動画像データを受信する動画像データ受信手段」（補正前）とあるのを、「前記データ送信装置
からの、複数ビットからなる複数の
の各々
複数の
（ｂ）請求項３において、「前記表示手段に表示された動画像データの一部領域の色を受光する受光手段」（補正前）とあるのを、「前記表示手段に表示された動画像データの
各
　
［２］補正の適合性
［２−１］補正の範囲
　上記各補正事項は、願書に最初に添付した明細書の段落【００３３】、【００４１】、【００５０】乃至【００６９】及び図３乃至図７の記載に基づくものであり、願書に最初に添付した明細書又は図面に記載した事項の範囲内においてする補正である。
　
［２−２］補正の目的
　上記補正事項（ａ）は、「動画像データ受信手段」につき、その内容を限定するものであり、特許請求の範囲の減縮に該当する。
　上記補正事項（ｂ）は、「受光手段」につき、その内容を限定するものであり、特許請求の範囲の減縮に該当する。　
　
［２−３］独立特許要件
　上記のとおり、本件補正のうち請求項３についてする補正は、特許請求の範囲の減縮を目的とする。そこで独立特許要件について検討する。
（１）補正後発明
　補正後の請求項１から請求項５までに係る発明のうち請求項３に係る発明（以下「補正後発明３」という。）は、下記のとおりである。
　　　　　　記（補正後発明３）
　データ送信装置から送信されたデジタルデータを受信するデータ受信装置であって、
　前記データ受信装置は、
　前記データ送信装置からの、複数ビットからなる複数のデジタルデータの各々に応じて複数の一部領域の色を単位時間毎に変化させられた動画像データを受信する動画像データ受信手段と、
　前記受信した動画像データを表示する表示手段と、
　前記表示手段に表示された動画像データの各一部領域の色を受光する受光手段と、
　前記受光手段により受光された動画像データの一部領域の色の単位時間毎の変化に応じたデジタルデータを抽出するデジタルデータ抽出手段と、
　を有することを特徴とするデータ受信装置。
　
（２）引用例
　原査定の拒絶の理由に引用された米国特許第４８４４４７６号明細書（以下「引用例」という。）には、「Video target response apparatus and method employing a standard video tape player and television receiver」（発明の名称）に関し、図面と共に次に掲げる事項が記載されている。 
　（ア）「SUMMARY OF THE DISCLOSURE
　My invention is directed to solving exactly this problem and satisfying this demand. My invention is a video response apparatus, for use with a video tape. The tape has stored signals corresponding to an image of a scene that includes at least one target.
　At least a part of each target has selected interlace fields removed. The result is, for each target, a respective distinctive periodic sequence of light pulses, associated with that target when that part of the target is displayed.
　A substantially unmodified standard video cassette player is used to play the tape. A standard television receiver is connected for operation with the player to display the scene--particularly including omission of the selected interlace fields in each target, to provide as just explained a respective distinctive periodic sequence of light pulses associated with each target.
　The response apparatus of my invention includes in particular a response module, which has no connection to or from either the video cassette player or the television receiver set. In fact, the response module has no output--by wire or by wireless--to either the player or television set.
　The response module includes an electrooptical detector. The detector is sensitive to visible light at the intensity typically available from a television set at a distance up to at least ten or fifteen feet.
　The response module must also include some means for receiving light from a limited portion of a scene displayed by the video receiver, and directing this light to the detector. For purposes of generality in expressing my invention, I shall refer to these means as the imaging means.
　The response module should also include some means to aid a user in pointing the imaging means to a particular limited scene portion--so that light from that limited portion is received and directed to the detector. Again for generality of expression, I shall call these means the sighting means.
　Also in the module there are some means for developing a detector output signal that is related to light directed to the detector. These means, once again, I shall call the electronic means.
　My invention also includes some means for analyzing the detector output signal. These analyzing means are distinct from the cassette player and from the television receiver, but they are responsive to the electronic means.
　The analyzing means detect the presence, in light directed to the detector, of the distinctive periodic sequence of pulses associated with a target. The analyzing means perform this detection based upon the above-mentioned absence of selected interlace fields.
　The response module also includes some means for manipulation by a user in registering a particular scene portion for evaluation. Actuation of these trigger means, as will be seen, is not necessarily a requirement for evaluation of every possible target type.
　My invention also includes some means for communicating to a user whether a distinctive sequence is present in a registered scene portion,--based, again, on absence of selected interlace fields. These communicating means, like the analyzing means, are distinct from the video cassette player and the television receiver; but are responsive to the analyzing means and the trigger means.
　The foregoing may be a description of my invention in its broadest or most general form. I prefer, however, in the practice of my invention to incorporate various other advantageous features or characteristics which enhance or optimize performance, economy, or appeal of the invention.
　For example, as will be seen, my invention can be used--and is used to particularly striking effect--with video-taped scenes that include not only the targets but also a great variety of other picture elements, either moving or stationary. When my invention is so used, the analyzing means readily detect the presence of the distinctive pulse sequences, and the communicating means communicate the results of this detection, irrespective of the presence or absence of such other picture elements.」（３欄５５行〜５欄２行）
　
（イ）「DETAILED DESCRIPTION OF THE PREFERRED EMBODIMENTS
　As shown in FIG. 1, my invention relates to an electronic toy or learning system that is used in conjunction with a prerecorded, specially coded video-tape cassette 11. The system includes a gun 20 that is to be pointed by a child or other user at one or more objects 17, 18 that are displayed (with background scene elements 16 if desired) on an ordinary television set 14. This display is produced through operation of a conventional cassette player 12, using an ordinary interconnecting cable 13.
　The gun 20 also has a trigger 33, but the gun is not connected to the cassette player 12 or television set 14. In the gun are a lens 23 that receives light 19 emitted from the television screen 15, and images or at least concentrates the light at 19a onto a photocell 22.
　The lens 23 and photocell 22 are disposed in the gun barrel 21 in known fashion to receive only light 19 emitted from a relatively small portion of the displayed image 16-17-18. The particular portion is selected by a user who points the gun as desired--within the constraints of his or her level of skill--at a desired part of the screen.
　In this the user is aided by a forward sight boss 31 and a rear sight tube 25. Either end of the rear sight 25 advantageously has a window pane 26 carrying indicia 27 for alignment with the front sight 31 in aiming. Light 19b passes the front sight 31, traverses the rear sight 25 and proceeds as at 19c toward the user's eye 29.
　The overall effect of the system operation is that the gun can distinguish between objects 16, 17 on the screen 15--or, if there is only one object (e.g., 17), the gun can distinguish between the object and the background scene elements 16. This effect is made possible by blinking one or more objects 17, 18 on and off in particular ways to be detailed below. The flashing is noticeable to the human eye 29, but can be made unobjectionable through judicious selection of blinking patterns.
　As is well known, a television set has an electron beam that creates a luminous dot of varying intensity, which scans the complete screen fifty or sixty (depending on the video standards in use) times per second. The variations of intensity of the luminous dot as it moves produce shapes on the screen.
　Only half of each picture--known as one field--is presented on each scan. The two fields or halves of each frame respectively contain alternate scan or raster lines, so that the two fields are interwoven or interlaced.
　In this way a full frame is presented only twenty-five or thirty times per second, but the two interlace fields create a desired flicker effect at fifty or sixty hertz. Thus as the scanning beam repeatedly passes any small bright portion of the displayed image, a series of short light pulses 91 (FIG. 4) emanates from that portion.
　The time Ti from the start of any one pulse 91a to the start of the next pulse 91b is the interlace-field period. It is either 1/60 or 1/50 of a second--that is to say, 16.7 or 20.0 milliseconds. The pulse repetition rate, or roughly speaking the pulse frequency, is accordingly the reciprocal: sixty or fifty hertz.
　The time Tf (FIG. 4) for two such pulses is the frame period, 1/30 or 1/25 of a second--i.e., 33.3 or 40.0 milliseconds. For light from a limited small portion of the screen, the actual duration T.sub.p of each pulse itself may be made typically, but very roughly, a millisecond.
　This timing pattern is repeated indefinitely, a rapid flicker that interacts with the familiar persistence phenomenon of human vision to form the illusion of a continuous picture.
　In my invention, however, certain selected interlace fields are deliberately removed from the target area or areas 17, 18. The result is a very distinctive time pattern of light pulses emanating from the target or targets, permitting ready discrimination between the target or targets and the background scene element(s) 16--whether the background is simple or complex, static or dynamic.
　One possible pattern is created by removal of alternate interlace fields and thereby their corresponding light pulses as at 92b, 92d, 92f . . . (FIG. 4). What remains is a very distinctive flashing effect of narrow pulses 92a, 92c, 92e . . . repeating at twenty-five or thirty hertz, localized within the overall screen display that flashes at fifty or sixty hertz as above mentioned.
　Other patterns can be created by removal of, for example, every third interlace field 93c, 93f, . . . ; or every fourth field 94d, 94h, . . . Here the results are extremely distinctive periodic flashing effects of asymmetric character--that do not correspond to any timing phenomenon normally found in a video image. These can be interpreted readily by a digital analyzer circuit.
　It is not necessary to settle upon any one flashing pattern for use with my invention. Rather, if desired, a different pattern of interlace-field removal can be imposed upon different targets or groups of targets, permitting such discrimination between such different targets or groups. For example, pulse train 92 may be used for target 17 (FIG. 1), and pulse train 94 for target 18.
　Still other flashing patterns can be used, including periodic removal of more than one consecutive interlace field. I prefer not to use such other patterns, although in principle they are equally distinctive and as readily created and processed as the individual-omitted-field patterns already discussed. I have found, however, that such other patterns produce a relatively annoying, coarse-appearing flicker.
　In accordance with my invention, the gun contains circuitry 34 including wiring (not shown in FIG. 1) to the photocell 22 and other components, and also includes a microprocessor. The microprocessor is programmed to detect the particular pulse trains 92-94 created by the removal of selected interlace fields 92b, 93c, 94d, etc.
　The trigger 33 is for manipulation by the user to signal to the circuitry 34 that a particular aim is, in effect, submitted for evaluation of accuracy. That is, the trigger 33 registers the immediately preceding pulse train for evaluation.
　The microprocessor is programmed to respond with indications of a hit, if the trigger is pulled while the gun is pointed toward a particular flashing image. The microprocessor is also programmed to respond with indications of a miss, if the trigger is pulled while the gun is not pointed toward any of the flashing images.」（６欄１６行〜８欄６行）   
　
（ウ）「An important feature of my invention is the appearance of the video-displayed image. Since video tape can be used, the game is not restricted to computer-generated images, although such images can be included to the extent desired. Real, camera-generated footage of physical objects can be used--as background 16, for instance--and a flashing-pattern target 17 or 18 superimposed on the real footage.
　For example, the display can include video or cinematographic footage of a plane flying through a ravine, from the perspective of the pilot. Other planes can be superimposed as targets that fly across and around the screen.
　Further, because the game is video-tape based, it can use real sounds and dialogue. Arcade or conventional home-video games, again, as a practical matter are restricted to computer-generated sounds.
　All this represents a major improvement over standard arcade games that use solely computer-generated images, because with my invention the scenes and therefore the games seem much more realistic.
　The distinctive pulse sequences associated with the targets are created by placing black video fields in the target areas of the recorded tape. This entails a relatively small variation of conventional travelling matte techniques that are generally familiar to those skilled in the art of electronic video editing.
　The conventional part of the process creates in the background image a black area of the same size and shape as the target, moving exactly as the target will move. Then using a standard video keyer or matte device, the target image is positioned frame-by-frame into that black area.
The variation is that the target is not inserted into every field of the background--or, to put it another way, not every field of the target is used. Some fields of the background are left with the black area.
　Thus the target is omitted from some fields of the background--or, again, some fields of the target are omitted, being replaced by the black spot. Standard video editing systems are not capable of this step, since they are configured or programmed, or both, to edit only on the basis of full video frames.
　As noted previously, a full frame consists of two interlace fields: one field consists of even-numbered scan lines and the other field of odd-numbered lines. A standard video editor can omit both fields of a video frame, but not just one.
　It is therefore necessary to provide somehow a timing signal for switching the target signal on and off, using the desired distinctive pulse sequence, field by field. This timing signal must be used to control an electronic video gate that is in the target-signal path somewhere upstream of the final matte combination process.
　I shall now describe several approaches to this process. First, if desired the target signal can be pretreated to replace selected fields with black, and this modified target signal tape-recorded.
　One technique for doing this is to first prerecord all-black fields on one video tape, and then play the target signal from a source video tape onto the all-black prerecorded tape--through the timing-signal-controlled gate, so as to transfer only the desired fields that are not to remain black. Another technique for accomplishing the same result is to record all-black fields through the timing-signal-controlled gate onto a tape recording of the target signal. In this latter technique the gate is operated from the timing signal with a polarity reversal, so that only the target fields which are to be omitted are erased and replaced with black.
　Once a tape has been prepared--by either of these techniques--in which selected fields of the target signal are replaced with black, then the recorded pretreated signal can be used directly in the matte editor.
　A second approach, which I prefer, skips the pretreatment step, placing the signal-controlled gate directly in the target-signal input path to the matte editor. Then the background scene is matted with the target(s) onto the master tape, while the gate omits selected target fields.
　Within the target areas, normally, a conventional matte editor or keyer automatically supplies color black whenever a field is omitted. For an editor in which this is not the case, the tape which is to become the master, mixed tape can be first prerecorded with all-black fields.」（９欄４４行〜１０欄６１行） 
　
　引用例の前掲記載（ア）乃至（ウ）及び図１，図２，図４によれば、引用例には、ビデオ・テープ・カセット１１に録画されたビデオ信号をカセットプレーヤー１２で再生し、ケーブル１３を介して接続するテレビジョン受信機（テレビジョンセット１４）のテレビ・スクリーン１５上に、図４に示されるパルス列９２，９４のパターンで点滅する目標１７，１８を含むイメージを表示し、そのテレビ・スクリーン１５上から放射された光１９（１９ａ）を銃２０のフォトセル２２で受光し、マイクロプロセッサー４１を含む回路３４によって目標１７，１８と関連するパルス列９２，９４を検出するシステムが記載されており、そのようなシステムは、「データ受信装置」ともいえるから、引用例には下記のような発明（以下「引用発明」という。）が開示されていると認めることができる。
　　　　　　　記（引用発明）
　カセットプレーヤー１２からのビデオ信号を受信するデータ受信装置であって、　
　パルス列９２，９４のパターンで点滅する目標１７，１８を含むイメージデータを受信して、表示するテレビ・スクリーン１５と、
　前記テレビ・スクリーン１５に表示された目標１７，１８を含むイメージから放射された光１９（１９ａ）を受け取るフォトセル２２と、
　目標１７，１８と関連するパルス列９２，９４を検出するマイクロプロセッサー４１を含む回路３４と、
　を有するデータ受信装置。
 　　 
（３）対比
　そこで、補正後発明３と引用発明とを比較すると、次の対応が認められる。 
　（ａ）「データ受信装置」、「動画像データ受信手段」
　補正後発明３の「複数ビットからなる」デジタルデータとは、本願明細書の段落【００５０】，【００５１】及び図５（Ａ）乃至（Ｆ）の記載によれば、例えば、各フィールド毎にデジタルデータ符号化領域１０１ａの色が黒、白、白、黒、黒、白と変化して、すなわち１フィールド毎にデジタルデータ符号化領域１０１ａの色が変化されて画像１０１が送信されてきた場合、「０」、「１」、「１」、「０」、「０」、「１」として６ビットのデジタルデータを復号できるような「デジタルデータ」であるといえるところ、引用発明も、テレビジョンセット１４のテレビ・スクリーン１５上には、カセットプレーヤー１２から受信したイメージデータ（背景１６や目標１７，１８を含む）に応じて、複数の目標１７，１８が、それぞれ図４のパルス列９２，９４のパターン（フィールド毎）で点滅して表示（白黒表示）されるものであるから、引用発明のテレビジョンセット１４もカセットプレーヤー１２からの複数のデジタルデータの各々に応じて複数の一部領域（引用発明でいう複数の目標１７，１８）の色（引用発明でいう輝度）を単位時間毎（引用発明でいうフィールド毎）に変化させられたイメージデータ（動画像データを含むことは明らかである。）を受信するものといえる。
　そうすると、引用発明も、「デジタルデータを受信するデータ受信装置であって」、「前記データ受信装置は」、「複数のデジタルデータの各々に応じて複数の一部領域の色を単位時間毎に変化させられた動画像データを受信する動画像データ受信手段」を有するものといえ、それらの点では補正後発明３と変わりがない。
　もっとも、補正後発明３では、データ受信装置が、「データ送信装置から送信された」デジタルデータを受信し、動画像データ受信手段が、「前記データ送信装置からの」動画像データを受信するのに対し、引用発明では、データ受信装置及び動画像データ受信手段が、カセットプレーヤー１２からデジタルデータ及び動画像データを受信しており、また、補正後発明３では、複数のデジタルデータが、「複数ビットからなる」のに対し、引用発明では、そのようなデータではない。
　
　（ｂ）「表示手段」
　引用発明の「テレビジョンスクリーン１５」は、補正後発明３の「前記受信した動画像データを表示する表示手段」に対応する。
　
　（ｃ）「受光手段」
　引用発明の「フォトセル２２（銃２０）」は、テレビスクリーン１５に表示されたイメージである目標１７，１８から放射された光１９（１９ａ）を受け取るものであり、補正後発明３の「前記表示手段に表示された動画像データの各一部領域の色を受光する受光手段」に対応する。    
　
　（ｄ）「デジタルデータ抽出手段」
　引用発明も、テレビスクリーン１５に表示されたイメージである目標１７，１８（補正後発明３でいう一部領域）は、それぞれインターレース・フィールド９２ｂ，９４ｄなどの除去によって作成されたパルス列９２，９４のパターンで点滅するものであり、それをフォトセル２２で受光し、パルス列９２，９４に応じたデジタルデータ（白黒情報の「１」、「０」データ）をマイクロプロセッサー４１を含む回路３４で検出するものといえる。
　そうすると引用発明も「前記受光手段により受光された動画像データの一部領域の色の単位時間毎の変化に応じたデジタルデータを抽出するデジタルデータ抽出手段」を有するものといえ、その点でも補正後発明３と変わりがない。
　 　 　
（４）一致点・相違点
　以上の対比結果(ａ)乃至(ｄ)によれば、補正後発明３と引用発明との一致点・相違点は次のとおりである。 
［一致点］　
　デジタルデータを受信するデータ受信装置であって、
　前記データ受信装置は、
　複数のデジタルデータの各々に応じて複数の一部領域の色を単位時間毎に変化させられた動画像データを受信する動画像データ受信手段と、
　前記受信した動画像データを表示する表示手段と、
　前記表示手段に表示された動画像データの各一部領域の色を受光する受光手段と、
　前記受光手段により受光された動画像データの一部領域の色の単位時間毎の変化に応じたデジタルデータを抽出するデジタルデータ抽出手段と、
　を有することを特徴とするデータ受信装置。
　
［相違点］　    
　相違点１
　補正後発明３では、データ受信装置が、「データ送信装置から送信された」デジタルデータを受信するものであって、動画像データ受信手段が、「前記データ送信装置からの」、複数のデジタルデータの各々に応じて複数の一部領域の色を単位時間毎に変化させられた動画像データを受信するものであるのに対して、引用発明では、データ受信装置及び動画像データ受信手段が、カセットプレーヤー１２からデジタルデータ及び動画像データを受信している点。
　相違点２
　複数のデジタルデータが、補正後発明３では、「複数ビットからなる」のに対し、引用発明では、複数ビットからなるデータではない点。 　　　　　
（５）相違点の判断 
　相違点１について
　データ受信装置において、データ送信装置からデジタルデータを付加した画像データを送信し、そのデジタルデータを付加した画像データをデータ受信装置で受信する技術は、下記文献１、２等にも示されているようにごく普通に知られた周知・慣用技術であり、引用発明において、データ受信装置が、カセットプレーヤーからデジタルデータを受信する代わりに、上記周知・慣用技術のように「データ送信装置から送信された」デジタルデータを受信するようにして、それに伴い動画像データ受信手段が、「前記データ送信装置からの」、複数のデジタルデータの各々に応じて複数の一部領域の色を単位時間毎に変化させられた動画像データを受信するようになす程度のことは当業者が容易になし得たことといえる。
　　　　　　　　記
文献１：特開平８−８８４９号公報（段落【００７１】〜【００８１】及び図１２〜図１４等参照）
文献２：特開昭５５−１１２６３６号公報（２頁右上欄５行〜３頁左上欄１７行及び図１、図２等参照、原査定の拒絶の理由で引用された。）
　
　相違点２について
　上記文献２（特開昭５５−１１２６３６号公報）には、複数ビットからなるデジタルデータを付加した画像データをデータ送信装置から送信し、その複数ビットからなるデジタルデータを付加した画像データを受信するデータ受信装置が開示されており（２頁右上欄５行〜３頁左上欄１７行及び図１、図２等参照）、そうすると、引用発明において、複数のデジタルデータを複数のビットからなるデジタルデータとすることは、当業者が容易になし得たことといえる。
　以上のとおり、補正後発明３における上記各相違点に係る構成は、当業者が容易に想到し得たといえるものであり、また補正後発明３の効果も、引用発明、引用文献及び周知・慣用技術から予測することができる程度のものにすぎない。
　したがって、本件補正は、特許請求の範囲の減縮を目的とするところ、補正後発明３は、引用発明、引用文献及び周知・慣用技術に基づいて当業者が容易に発明をすることができたものであるから、特許法第２９条第２項の規定により特許出願の際独立して特許を受けることができない。 
　
（６）むすび 
　以上、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項の規定において読み替えて準用する同法第５３条第１項の規定により却下すべきものである。 
 　 
第３　本願発明について
（１）本願発明 
　平成１８年５月１日付けの手続補正は上記のとおり却下されたので、本願の請求項１から請求項５までに係る発明は、本願明細書及び図面（平成１７年４月２６日付けの手続補正書により補正された明細書及び図面）の記載からみて、それぞれ、その特許請求の範囲の請求項１から請求項５までに記載した事項により特定されるとおりのものであるところ、そのうち、請求項３に係る発明（以下「本願発明３」という。）は、下記のとおりのものである。 
　　　　　　記（本願発明３）
　データ送信装置から送信されたデジタルデータを受信するデータ受信装置であって、
　前記データ受信装置は、
　前記データ送信装置により、送信すべきデジタルデータに応じて一部領域の色を単位時間毎に変化させられた動画像データを受信する動画像データ受信手段と、
　前記受信した動画像データを表示する表示手段と、
　前記表示手段に表示された動画像データの一部領域の色を受光する受光手段と、
　前記受光手段により受光された動画像データの一部領域の色の単位時間毎の変化に応じたデジタルデータを抽出するデジタルデータ抽出手段と、
　を有することを特徴とするデータ受信装置。
 　　　　　　　　　　 
（２）引用例 
　原査定の拒絶の理由に引用された引用例（米国特許第４８４４４７６号明細書）には、前記「第２［２］［２−３］（２）」に摘記したとおりの事項が記載されている。 
 　　 
（３）対比・判断
　本願発明３は、前記「第２［２］［２−３］」で検討した補正後発明３から「動画像データ受信手段」及び「受光手段」についての限定事項を省いたものである。
　そうすると、本願発明３と引用発明とは
「デジタルデータを受信するデータ受信装置であって、
　前記データ受信装置は、
　デジタルデータに応じて一部領域の色を単位時間毎に変化させられた動画像データを受信する動画像データ受信手段と、
　前記受信した動画像データを表示する表示手段と、
　前記表示手段に表示された動画像データの一部領域の色を受光する受光手段と、
　前記受光手段により受光された動画像データの一部領域の色の単位時間毎の変化に応じたデジタルデータを抽出するデジタルデータ抽出手段と、
　を有することを特徴とするデータ受信装置。」である点で一致し、
　本願発明３では、データ受信装置が、「データ送信装置から送信された」デジタルデータを受信するものであって、動画像データ受信手段が、「前記データ送信装置により」、送信すべきデジタルデータに応じて一部領域の色を単位時間毎に変化させられた動画像データを受信するものであるのに対して、引用発明では、データ受信装置及び動画像データ受信手段が、カセットプレーヤー１２からデジタルデータ及び動画像データを受信している点で相違する。
　しかしながら、データ受信装置において、データ送信装置からデジタルデータを付加した画像データを送信し、そのデジタルデータを付加した画像データをデータ受信装置で受信する技術は、上記文献１、２等にも示されているようにごく普通に知られた周知・慣用技術であり、引用発明において、データ受信装置が、カセットプレーヤーからデジタルデータを受信する代わりに、上記周知・慣用技術のように「データ送信装置から送信された」デジタルデータを受信するようにして、それに伴い動画像データ受信手段が、「前記データ送信装置により」、送信すべきデジタルデータに応じて一部領域の色を単位時間毎に変化させられた動画像データを受信するようになす程度のことは当業者が容易になし得たことといえる。
　また、その効果も、引用発明及び周知・慣用技術から予測することができる程度のものにすぎないので、本願発明３は、前記「第２［２］［２−３］」に記載された引用発明及び周知・慣用技術に基づいて、当業者が容易に発明をすることができたものである。
　 
（４）むすび 
　以上のとおり、本願発明３は、引用例に記載された発明及び周知・慣用技術に基づいて当業者が容易に発明をすることができたものであるから、特許法第２９条第２項の規定により特許を受けることができない。 
　したがって、本願は他の請求項に係る発明について特に検討するまでもなく、拒絶されるべきものである。 
　よって、結論のとおり審決する。